(57)【要約】【課題】容器本体にヒンジで連結された蓋体を有する容器において、蓋体の開閉のしやすさ、および、蓋体による封止の確実性を向上する。【解決手段】容器本体と、容器本体とヒンジで連結された蓋体とを備える容器であって、容器本体の開口部に外径が開口部の外径より大きく内径が開口部の内径より大きい本体リブが形成され、蓋体に閉状態で開口部を挟む位置にそれぞれインナーリングと側壁とが形成され、側壁の内側面に内径が他の部分より小さく蓋体の開閉の際本体リブが接触して乗り越える蓋リブを有し、インナーリングは外径が本体リブの内径より小さく蓋体の閉状態で本体リブとの間に空隙を有し蓋体の開閉の際本体リブと接触することがなく、蓋体を閉じる際本体リブが蓋リブに接触して乗り越えた後インナーリングが開口部に接触して開口部を封止し、蓋体を開く際インナーリングが開口部から離れた後、本体リブが蓋リブを乗り越える。【選択図】図１
2015089822.tif 000002
【特許請求の範囲】
【請求項１】
筒型の容器本体と、前記容器本体とヒンジによって連結され、前記容器本体の開口部に対して開閉自在に設けられた蓋体とを備える容器であって、
前記容器本体の開口部の少なくとも一部には、外径が前記開口部の外径より大きく、内径が前記開口部の内径より大きい本体リブが形成され、
前記蓋体には、閉状態において前記開口部を内側と外側とから挟む位置にそれぞれインナーリングと側壁とが形成され、
前記側壁は、内側面において、内径が他の部分より小さく、前記蓋体の開閉の際、前記本体リブが接触して乗り越える蓋リブを有し、
前記インナーリングは、外径が前記本体リブの内径より小さく、前記蓋体の閉状態において、前記本体リブとの間に空隙を有し、前記蓋体の開閉の際、前記本体リブと接触することがなく、
前記蓋体を閉じる際、前記本体リブが前記蓋リブに接触して乗り越えた後、前記インナーリングが前記開口部に接触して前記開口部を封止し、
前記蓋体を開く際、前記インナーリングが前記開口部から離れた後、前記本体リブが前記蓋リブを乗り越える、容器。
【請求項２】
前記側壁の内側面の前記蓋リブより前記蓋体側の部分は、内径が前記本体リブの外径より大きく、前記蓋体の閉状態において、前記本体リブとの間に空隙が存在する、請求項１に記載の容器。
【請求項３】
前記本体リブは、少なくとも前記開口部の前記ヒンジの反対側の位置に形成される、請求項１または２に記載の容器。
【請求項４】
前記蓋体の開閉に要する力が、開閉の進行に対して２つ以上の極大値を持たない、請求項１−４のいずれかに記載の容器。
【請求項５】
前記蓋体の開閉に要する力が所定期間において一定である、請求項４に記載の容器。
【請求項６】
前記蓋体の、前記ヒンジの反対側の位置に、前記側壁の外側面に接続する鍔部をさらに備え、
前記鍔部は、先端部の厚みが前記側壁との接続部分の厚みより小さくなるように、前記蓋体の天面側の面である上面が傾斜する、請求項１−５のいずれかに記載の容器。
【請求項７】
前記鍔部は、前記上面に対向する下面に凹部が形成されている、請求項６に記載の容器。
【発明の詳細な説明】
【技術分野】
【０００１】
本発明は、容器本体とその開口部を封止する蓋体を備えた容器に関する。
【背景技術】
【０００２】
従来、容器本体にヒンジによって連結され容器本体の開口部に対して開閉自在に設けられた蓋体を備える容器が知られている。
【先行技術文献】
【特許文献】
【０００３】
【特許文献１】特開２００８−２９７０１０号公報
【発明の概要】
【発明が解決しようとする課題】
【０００４】
このような容器においては、蓋体に設けられた側壁とインナーリングとが、容器本体の開口部を挟む形で、蓋体が閉じられる。また、このとき、密閉性を高めるため、インナーリングが、開口部の内壁に嵌入される。そのため、蓋体の開閉の際、側壁やインナーリングが開口部にほぼ同時に接触して蓋体は抵抗力を受ける。そのため蓋体の開閉に大きな力を要し開閉がしにくかったり、蓋体を閉じる際に押し込む力が足りず、封止が不十分になったりするおそれがあった。
【０００５】
本発明は、容器本体にヒンジで連結された蓋体を有する容器において、蓋体の開閉のしやすさ、および、蓋体による封止の確実性を向上することを目的とする。
【課題を解決するための手段】
【０００６】
本発明の一態様は、筒型の容器本体と、容器本体とヒンジによって連結され、容器本体の開口部に対して開閉自在に設けられた蓋体とを備える容器であって、容器本体の開口部の少なくとも一部には、外径が開口部の外径より大きく、内径が開口部の内径より大きい本体リブが形成され、蓋体には、閉状態において開口部を内側と外側とから挟む位置にそれぞれインナーリングと側壁とが形成され、側壁は、内側面において、内径が他の部分より小さく、蓋体の開閉の際、本体リブが接触して乗り越える蓋リブを有し、インナーリングは、外径が本体リブの内径より小さく、蓋体の閉状態において、本体リブとの間に空隙を有し、蓋体の開閉の際、本体リブと接触することがなく、蓋体を閉じる際、本体リブが蓋リブに接触して乗り越えた後、インナーリングが開口部に接触して開口部を封止し、蓋体を開く際、インナーリングが開口部から離れた後、本体リブが蓋リブを乗り越える。
【０００７】
また、側壁の内側面の蓋リブより蓋体側の部分は、内径が本体リブの外径より大きく、蓋体の閉状態において、本体リブとの間に空隙が存在してもよい。
【０００８】
また、本体リブは、少なくとも開口部のヒンジの反対側の位置に形成されてもよい。
【０００９】
また、蓋体の開閉に要する力が、開閉の進行に対して２つ以上の極大値を持たないようにしてもよい。
【００１０】
また、蓋体の開閉に要する力が所定期間において一定であってもよい。
【００１１】
また、蓋体の、ヒンジの反対側の位置に、側壁の外側面に接続する鍔部をさらに備え、鍔部は、先端部の厚みが側壁との接続部分の厚みより小さくなるように、蓋体の天面側の面である上面が傾斜してもよい。
【００１２】
また、鍔部は、上面に対向する下面に凹部が形成されてもよい。
【発明の効果】
【００１３】
本発明は、容器本体にヒンジで連結された蓋体を有する容器において、蓋体の開閉のしやすさ、および、蓋体による封止の確実性を向上することができる。
【図面の簡単な説明】
【００１４】
【図１】本発明の実施の形態に係る容器の断面図
【図２】本発明の実施の形態に係る容器の上面図
【図３】本発明の実施の形態に係る容器の断面図
【図４】本発明の実施の形態に係る容器の断面図
【図５】本発明の実施の形態に係る容器の開閉動作に要する力の大きさを示すグラフ
【図６】本発明の効果を説明するための比較用のグラフ
【発明を実施するための形態】
【００１５】
本発明の一実施形態に係る容器１００を説明する。容器１００は、筒状の容器本体１０１と、蓋体１１１とを有する。容器本体１０１および蓋体１１１は、互いにヒンジ１２１によって連結されている。図１は、容器本体１０１の中心軸とヒンジ１２１とを通る面による、蓋体１１１を閉状態にしたときの容器１００の縦断面図である。図２は、蓋体１１１を１８０°の開状態としたときの容器本体１０１および蓋体１１１の上面図である。図３は、図１に示した縦断面図の部分拡大図である。
【００１６】
容器本体１０１の開口部には、本体リブ１０２が形成されている。本体リブ１０２の外径は開口部の外径より大きく、内径は開口部の内径より大きい。
【００１７】
蓋体１１１には、インナーリング１１２と側壁１１３とが形成されている。インナーリング１１２および側壁１１３は、蓋体１１１を閉状態とした場合に、容器本体の開口部を内側と外側とから挟む位置に形成されている。
【００１８】
側壁１１３の内側面には、蓋リブ１１４が形成されている。蓋リブ１１４は、内径が側壁１１３の内側面の他の部分より小さく、蓋体１１１の開閉の際、本体リブ１０２が接触して乗り越える位置に形成されている。
【００１９】
インナーリング１１２の外径は、本体リブ１０２の内径より小さい。そのため、図３に示すように、蓋体１１１の閉状態において、インナーリング１１２と本体リブ１０２との間には、空隙１５１が存在する。
【００２０】
側壁１１３の内側面は、蓋リブ１１４からみて蓋体１１１の天面側の部分の内径が、本体リブ１０２の外径より大きい。そのため、図３に示すように、蓋体１１１の閉状態において、側壁１１３のこの部分と、本体リブ１０２との間には空隙１５２が存在する。
【００２１】
また、蓋体１１１には、ヒンジ１２１が接続する箇所の反対側に、鍔部１１５が形成されている。鍔部１１５は、側壁１１３に接続して形成され、一例として上面が蓋体１１１の外側天面に接続する。上面は傾斜しており、鍔部１１５の先端部の厚みが側壁１１３との接続部分の厚みより小さくなっている。また、鍔部１１５は、上面に対向する面である下面側に、凹部１１６が形成されている。蓋体１１１の閉動作は、指で鍔部１１５の上面を押し下げることで行い、開動作は、下面を押し上げることで行うことができる。
【００２２】
以下に、蓋体１１１の開閉の様子を説明する。図４は、蓋体１１１の開閉過程における、容器１００の鍔部１１５近傍の断面図である。
【００２３】
蓋体１１１をヒンジ１２１を軸として開状態から閉じていくと、図４の（ａ）に示すように、まず、本体リブ１０２が、蓋リブ１１４に接触する。
【００２４】
その後、図４の（ｂ）に示すように、本体リブ１０２は蓋リブ１１４から押圧を受け弾性変形し、さらに、図４の（ｃ）に示すように、本体リブ１０２は蓋リブ１１４に接触してすべりながら乗り越える。ここで、乗り越えるとは、本体リブ１０２が、蓋リブ１１４の頂部を越え、変形状態からの復帰が開始されることをいう。
【００２５】
図４の（ｃ）に示すように、本体リブ１０２が蓋リブ１１４を乗り越えた後、インナーリング１１２が、容器本体１０１の開口部に接触する。その後、図４の（ｄ）に示すようにインナーリング１１２が開口部の内側面に接触して、開口部から押圧を受けて弾性変形し、すべりながら嵌入するとともに、本体リブ１０２が弾性変形から復帰して、閉状態となる。
【００２６】
蓋体１１１をヒンジ１２１を軸として閉状態から開いていく場合、上記の逆の過程をたどる。すなわち、図４の（ｄ）に示す状態から、インナーリング１１２が容器本体１０１の開口部の内側面をすべって開口部から離脱し（図４の（ｃ））、その後、本体リブ１０２が弾性変形しながら蓋リブ１１４を乗り越える（図４の（ｂ））。さらに、本体リブ１０２が蓋リブ１１４から離脱し、開状態となる。
【００２７】
インナーリング１１２と本体リブ１０２との間に、空隙１５１が存在することにより、上記の開動作、閉動作のいずれにおいても、本体リブ１０２はインナーリング１１２に接触することがなく、不要な干渉の発生を抑制することができる。
【００２８】
また、側壁１１３と本体リブ１０２との間に、空隙１５２が存在することにより、閉動作完了時に、本体リブ１０２が変形状態から復帰する際、勢いよく移動し、空隙１５２内で元の形状よりも側壁１１３寄りに変位したのち元の形状に復帰するようにできる。そのため、閉動作完了時に、勢いよくカチッと蓋体１１１が閉じた感触が得られ、良好な封止感が得られる。
【００２９】
以下に蓋体１１１の開閉動作の際に要する力について説明する。図５の（ａ）および（ｂ）に、それぞれ、閉動作および閉動作における、鍔部１１５に対して加えるべき力の経時変化のグラフを示す。グラフの横軸は時間であり、縦軸は力の大きさである。この力は、本体リブ１０２と蓋リブ１１４との接触による摩擦や乗り越えの際の本体リブ１０２の弾性変形に起因する本体リブ１０２の抵抗力Ｘと、インナーリング１１２と容器本体１０１の開口部との接触による摩擦やインナーリング１１２の弾性変形に起因するインナーリング１１２の抵抗力Ｙとの合力Ｘ＋Ｙである。なお、図５では、グラフを見やすくするため、合力のグラフは縦軸の原点をずらしてある。
【００３０】
図５の（ａ）、（ｂ）に示すように、閉動作、開動作のいずれの場合も、合力Ｘ＋Ｙは、一定期間にわたって、ほぼ一定値が継続している。これは、本体リブ１０２が蓋リブ１１４に接触する期間とインナーリング１１２が容器本体１０１の開口部に接触する期間とがずれており、各抵抗力が発生する期間およびそのピークが分散するためである。
【００３１】
図６に、比較用に、各抵抗力が発生するタイミングを変化させた場合のグラフを、図５と同様の形式で示す。図６の（ａ）に、本体リブ１０２が蓋リブ１１４に接触する期間およびインナーリング１１２が容器本体１０１の開口部に接触する期間の重複期間が、本実施形態より長い場合の、蓋体１１１の閉動作における各抵抗力を示し、図６の（ｂ）に短い場合の閉動作における各抵抗力を示す。図６の（ａ）に示すように、重複期間が長い場合、各抵抗力の合力は、ピークが大きくなり、閉動作に要する力が大きくなる。また、図６の（ｂ）に示すように、重複期間が短い場合は、合力のピークが２つ発生し、最初のピークを経過した時点、すなわち、本体リブ１０２が蓋リブ１１４を乗り越えた時点で閉動作が完了したとの誤認が生じ、封止が不十分になるおそれがある。又、蓋を閉める時のピーク感触が２回有ることで、１回のピーク感触に比較して良好な感触が得られず違和感がある。
【００３２】
図６の（ｃ）に、本体リブ１０２が蓋リブ１１４に接触する期間およびインナーリング１１２が容器本体１０１の開口部に接触する期間の重複期間が、本実施形態より長い場合の、蓋体１１１の開動作における各抵抗力を示し、図６の（ｄ）に短い場合の開動作における各抵抗力を示す。図６の（ｃ）に示すように、重複期間が長い場合、閉動作と同様、各抵抗力の合力は、ピークが大きくなり、開動作に要する力が大きくなる。また、図６の（ｄ）に示すように、重複期間が短い場合は、閉動作と同様、合力のピークが２つ発生し、落下等による短時間の衝撃力によって、最初のピークを通過しやすくなり、すなわち、インナーリング１１２が容器本体１０１の開口部から離脱しやすくなり、また、ピーク間の極小値の時点まで、さらに意図しない開動作が進行して封止が不十分になるおそれがある。又、蓋を開く時のピーク感触が２回有ることで、１回のピーク感触に比較して違和感がある。
【００３３】
本体リブ１０２が蓋リブ１１４に接触する期間およびインナーリング１１２が容器本体１０１の開口部に接触する期間は、本体リブ１０２、蓋リブ１１４、容器本体１０１の開口部、空隙１５１、１５２等のサイズ、形状等を適宜設計することにより調整することができる。とくに空隙１５１、１５２を設けることにより、好適に調整可能となっている。本実施形態では、閉動作において、本体リブ１０２が蓋リブ１１４に接触して乗り越えた後、インナーリング１１２が容器本体１０１の開口部に接触するようにし、開動作において、インナーリング１１２が開口部から離れた後、本体リブ１０２が蓋リブ１１４を乗り越えるようにして、これらの期間を調整し、上述のように各抵抗力のピークをずらし、合力が一定期間にわたって一定値となるようにしている。これにより、各抵抗力のピーク値の和よりも小さな力で蓋体１１１の開閉を可能とし、老人、女性、子供にも使用しやすくできる。また、合力が複数のピーク（極大値）を持たないことにより、あるいは、これと上述の閉動作の完了時に良好な封止感が得られることと合わせて、閉動作を途中で止めてしまう誤りを低減し、また、落下時等の意図しない開動作を低減し、封止が不十分となることを抑制できる。
【００３４】
また、鍔部１１５の上面が傾斜していることにより、小さい力で閉動作が可能となる正しい押し込み方向を使用者に誘導できるため、使用者が誤った方向に向かって大きな力を加えてしまうことを抑制できる。また、鍔部１１５の下面に設けた凹部１１６によって、鍔部１１５を押し込んだ際に鍔部１１５がたわむため、感触を柔らかくすることができるとともに、押し込み方向が正しい方向からずれていても、押し込み力のずれ成分を吸収し、蓋リブ１１４等に必要以上の力が加わることを抑制できる。
【００３５】
本体リブ１０２および蓋リブ１１４は、それぞれ容器本体１０１の開口部および蓋体１１１の側壁１１３の内側面の全周にわたって係合するように設けてもよい。あるいは、全周のうち一部のみにおいて係合するよう設けてもよい。例えば、鍔部１１５の近傍に蓋リブ１１４を設け、これに対向する部分のみ、本体リブ１０２の外径を容器本体１０１の開口部の外径より大きくしてもよい。
【００３６】
また、閉状態において、インナーリング１１２の先端部の全周が容器本体１０１の開口部近傍の内側面に十分な接触圧で接触して嵌入することにより、容器本体１０１を密封してもよいし、あるいは、接触、嵌入の程度が低く、十分な密封性がなくてもよい。空隙１５１、１５２は、閉動作時の空気の抜け道となり、容器１００が密封型であっても、閉動作完了時に容器１００の内圧の上昇を抑制するので、封止時の反発力を低減することができる。
【００３７】
容器１００は、例えば、樹脂等の一定の剛性を有する材料で一体的に成型することができるが、本発明の容器の材質、サイズ、形状等は特に限定されない。また、容器の内容物は、例えば、薬品、テストピース、食品等が挙げられるが、特に限定されない。
【産業上の利用可能性】
【００３８】
本発明は、容器本体とその開口部を封止する蓋体を備えた容器に有用である。
【符号の説明】
【００３９】
１００    容器
１０１    容器本体
１０２    本体リブ
１１１    蓋体
１１２    インナーリング
１１３    側壁
１１４    蓋リブ
１１５    鍔部
１１６    凹部
１２１    ヒンジ
１５１、１５２    空隙
【図１】
2015089822.tif 000003
【図２】
2015089822.tif 000004
【図３】
2015089822.tif 000005
【図４】
2015089822.tif 000006
【図５】
2015089822.tif 000007
【図６】
2015089822.tif 000008